(57)【特許請求の範囲】
【請求項１】
エレベーターのかごの内部において識別体から読み取られた識別情報を前記エレベーターのエレベーター側通信装置から受信する受信部と、
前記受信部が受信した識別情報に対応した一時アクセス情報を当該識別情報に対応した送信先に送信する送信部と、
前記受信部が受信した識別情報に対応した一時アクセス情報へのアクセスを検知した際に、当該一時アクセス情報が送信された送信先と前記エレベーター側通信装置との間の双方向通信を中継する中継部と、
を備え、
前記中継部は、複数の識別情報が読み取られている場合に、複数の識別情報に対応した複数の送信先と前記エレベーター側通信装置との間の双方向通信において、映像情報を中継し、音声情報を中継しないエレベーターのセンタ側通信装置。
【請求項２】
前記中継部は、識別情報が読み取られなくなった場合に当該識別情報に対応した一時アクセス情報が送信された送信先と前記エレベーター側通信装置との間の双方向通信の中継を遮断する請求項１に記載のエレベーターのセンタ側通信装置。
【請求項３】
エレベーターのかごの内部において識別体から読み取られた識別情報を送信するエレベーター側通信装置と、
前記エレベーター側通信装置から送信された識別情報を受信し、当該識別情報に対応した一時アクセス情報を当該識別情報に対応した送信先に送信し、当該一時アクセス情報へのアクセスを検知した際に、当該一時アクセス情報が送信された送信先と前記エレベーター側通信装置との間の双方向通信を中継するセンタ側通信装置と、
を備え、
前記センタ側通信装置は、複数の識別情報が読み取られている場合に、複数の識別情報に対応した複数の送信先と前記エレベーター側通信装置との間の双方向通信において、映像情報を中継し、音声情報を中継しないエレベーターの通信システム。
【請求項４】
前記センタ側通信装置は、識別情報が読み取られなくなった場合に当該識別情報に対応した一時アクセス情報が送信された送信先と前記エレベーター側通信装置との間の双方向通信の中継を遮断する請求項３に記載のエレベーターの通信システム。
【発明の詳細な説明】
【技術分野】
【０００１】
この発明は、エレベーターのセンタ側通信装置および通信システムに関する。
【背景技術】
【０００２】
特許文献１は、エレベーターの通信システムを開示する。当該通信システムによれば、かごの内部の利用者の情報を外部の関係者に送信することができる。
【先行技術文献】
【特許文献】
【０００３】
【特許文献１】日本特開２００３−２５２５４０号公報
【発明の概要】
【発明が解決しようとする課題】
【０００４】
しかしながら、特許文献１に記載の通信システムにおいては、外部の関係者からかごの内部の利用者に情報を送信しない。このため、外部の関係者からの情報をかごの内部の利用者に報知することができない。【０００５】
この発明は、上述の課題を解決するためになされた。この発明の目的は、かごの内部の利用者の情報を外部の関係者に報知するだけでなく、外部の関係者からの情報をかごの内部の利用者に報知することができるエレベーターのセンタ側通信装置および通信システムを提供することである。
【課題を解決するための手段】
【０００６】
この発明に係るエレベーターのセンタ側通信装置は、エレベーターのかごの内部において識別体から読み取られた識別情報を前記エレベーターのエレベーター側通信装置から受信する受信部と、前記受信部が受信した識別情報に対応した一時アクセス情報を当該識別情報に対応した送信先に送信する送信部と、前記受信部が受信した識別情報に対応した一時アクセス情報へのアクセスを検知した際に、当該一時アクセス情報が送信された送信先と前記エレベーター側通信装置との間の双方向通信を中継する中継部と、を備え、前記中継部は、複数の識別情報が読み取られている場合に、複数の識別情報に対応した複数の送信先と前記エレベーター側通信装置との間の双方向通信において、映像情報を中継し、音声情報を中継しない。
【０００７】
この発明に係るエレベーターの通信システムは、エレベーターのかごの内部において識別体から読み取られた識別情報を送信するエレベーター側通信装置と、前記エレベーター側から送信された識別情報を受信し、当該識別情報に対応した一時アクセス情報を当該識別情報に対応した送信先に送信し、当該一時アクセス情報へのアクセスを検知した際に、当該一時アクセス情報が送信された送信先と前記エレベーター側通信装置との間の双方向通信を中継するセンタ側通信装置と、を備え、前記センタ側通信装置は、複数の識別情報が読み取られている場合に、複数の識別情報に対応した複数の送信先と前記エレベーター側通信装置との間の双方向通信において、映像情報を中継し、音声情報を中継しない。
【発明の効果】
【０００８】
これらの発明によれば、センタ側通信装置は、一時アクセス情報が送信された送信先とエレベーター側通信装置との間の双方向通信を中継する。このため、かごの内部の利用者の情報を外部の関係者に報知するだけでなく、外部の関係者からの情報をかごの内部の利用者に報知することができる。
【図面の簡単な説明】
【０００９】
【図１】この発明の実施の形態１におけるエレベーターの通信システムが適用されるエレベーターの構成図である。
【図２】この発明の実施の形態１におけるエレベーターの通信システムの構成図である。
【図３】この発明の実施の形態１におけるエレベーターの通信システムの利用者データベースを説明するための図である。
【図４】この発明の実施の形態１におけるエレベーターの通信システムのセンタ側通信装置が送信する一時アクセス情報を説明するための図である。
【図５】この発明の実施の形態１におけるエレベーターの通信システムの機能構成を説明するためのブロック図である。
【図６】この発明の実施の形態１におけるエレベーターの通信システムのエレベーター側通信装置の動作を説明するためのフローチャートである。
【図７】この発明の実施の形態１におけるエレベーターの通信システムのセンタ側通信装置の動作を説明するためのフローチャートである。
【図８】この発明の実施の形態１におけるエレベーターの通信システムのエレベーター側通信装置とセンタ側通信装置とのハードウェア構成図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１はこの発明の実施の形態１におけるエレベーターの通信システムが適用されるエレベーターの構成図である。
【００１２】
図１のエレベーターにおいて、昇降路１は、建築物の各階を貫く。複数の乗場２の各々は、建築物の各階に設けられる。かご３は、昇降路１の内部に設けられる。例えば、制御装置４は、昇降路１の内部の上部に設けられる。制御装置４は、かご３の動作を制御する。
【００１３】
次に、図２を用いて、エレベーターの通信システムの概要を説明する。
図２はこの発明の実施の形態１におけるエレベーターの通信システムの構成図である。
【００１４】
図２に示されるように、カメラ５は、かご３の内部に設けられる。カメラ５は、かご３の内部を撮影し得るように設けられる。マイク６は、かご３の内部に設けられる。マイク６は、緊急通信等に使用し得るように設けられる。表示装置７は、かご３の内部に設けられる。表示装置７は、かご３の内部の映像等を表示し得るように設けられる。スピーカ８は、かご３の内部に設けられる。スピーカ８は、アナウンス等を流すように設けられる。
【００１５】
読取装置９は、かご３に設けられる。エレベーター側通信装置１０は、エレベーターに対応して設けられる。例えば、エレベーター側通信装置１０は、制御装置４に設けられる。
【００１６】
例えば、センタ側通信装置１１は、エレベーターが設けられた建築物の外部に設けられる。例えば、エレベーターの保守会社の監視センタに設けられる。例えば、利用者データベース１２は、エレベーターが設けられた建築物の外部に設けられる。例えば、利用者データベース１２は、エレベーターの保守会社の監視センタに設けられる。
【００１７】
関係者端末１３は、エレベーターの利用者の関係者に所持される。例えば、利用者の家族の自宅に設けられる。例えば、関係者端末１３は、パーソナルコンピュータである。例えば、関係者端末１３は、スマートフォン等の携帯端末である。
【００１８】
識別体１４は、エレベーターの利用者に携帯される。例えば、識別体１４は、ＲＦＩＤタグである。例えば、識別体１４は、スマートフォン等の携帯端末である。
【００１９】
利用者が識別体１４を携帯してかご３に乗り込むと、読取装置９は、当該識別体１４から識別情報を読み取る。エレベーター側通信装置１０は、エレベーター監視網を介して読取装置９が読み取った識別情報を監視センタに送信する。
【００２０】
センタ側通信装置１１は、当該識別情報を受信する。センタ側通信装置１１は、当該識別情報に対応した一時アクセス情報を生成する。センタ側通信装置１１は、利用者データベース１２から当該識別情報に対応した関係者の送信先の情報を取得する。センタ側通信装置１１は、インターネット等を介して当該一時アクセス情報を当該送信先に送信する。
【００２１】
関係者端末１３は、当該一時アクセス情報を受信する。関係者端末１３は、当該一時アクセス情報に応じた表示を行う。
【００２２】
利用者が関係者端末１３を用いて当該一時アクセス情報を選択した場合、センタ側通信装置１１は、当該一時アクセス情報へのアクセスを検知する。この際、センタ側通信装置１１は、関係者端末１３とエレベーター側通信装置１０との間の双方向通信を中継する。
【００２３】
この際、かご３の内部の映像情報は、エレベーター側通信装置１０とセンタ側通信装置１１とを介して関係者端末１３により出力される。かご３の内部の音声情報は、エレベーター側通信装置１０とセンタ側通信装置１１とを介して関係者端末１３により出力される。
【００２４】
これに対し、関係者端末１３からの映像情報は、センタ側通信装置１１とエレベーター側通信装置１０とを介して表示装置により出力される。例えば、関係者端末１３からの音声情報は、センタ側通信装置１１とエレベーター側通信装置１０とを介してスピーカ８により出力される。
【００２５】
次に、図３を用いて、利用者データベース１２の例を説明する。
図３はこの発明の実施の形態１におけるエレベーターの通信システムの利用者データベースを説明するための図である。
【００２６】
例えば、利用者データベース１２は、識別情報として「タグＩＤ」の情報を記憶する。利用者データベース１２は、関係者の送信先の情報として「メールアドレス」の情報を記憶する。利用者データベース１２は、「タグＩＤ」の情報と「メールアドレス」の情報とを対応付けて記憶する。
【００２７】
例えば、利用者データベース１２は、「タグＩＤ」としての「０１２３４５６７８９」の情報と「メールアドレス」としての「ＸＸＸＸＸ＠ｙｙ．ｚｚ．ｃｏｍ」の情報とを対応付けて記憶する。例えば、利用者データベース１２は、「タグＩＤ」としての「９８７６５４３２１０」の情報と「メールアドレス」としての「ａａａａａ＠ｂｂ．ｃｃｃ．ｊｐ」の情報とを対応付けて記憶する。
【００２８】
次に、図４を用いて、一時アクセス情報の例を説明する。
図４はこの発明の実施の形態１におけるエレベーターの通信システムのセンタ側通信装置が送信する一時アクセス情報を説明するための図である。
【００２９】
図４において、一時アクセス情報は、関係者の送信先へのメールに含まれる。メールは、一時アクセス情報に加えてエレベーター情報も含む。関係者端末１３は、エレベーター情報と一時アクセス情報との内容を表示する。
【００３０】
例えば、エレベーター情報として、「エレベーターへの乗車を検知しました（ＡＡビル１Ｆ）」との文字が関係者端末１３の表示画面の上部に表示される。例えば、エレベーター情報として、かご３の内部の画像が関係者端末１３の表示画面の中央部に表示される。例えば、一時アクセス情報として、「＜通話を開始する＞」が関係者端末１３の表示画面の下部に表示される。
【００３１】
図４において、「＜通話を開始する＞」は、一時アクセス用ＵＲＩへのリンクとなっている。関係者が関係者端末１３を用いて当該リンクを選択した場合、関係者端末１３とセンタ側通信装置１１との間の双方向通信が確立される。その結果、外部の関係者とかご３の内部の利用者とは、映像を含む通話を開始し得る。
【００３２】
次に、図５を用いて、通信システムの機能構成を説明する。
図５はこの発明の実施の形態１におけるエレベーターの通信システムの機能構成を説明するためのブロック図である。
【００３３】
図５に示されるように、エレベーター側通信装置１０は、乗降車検出部１０ａと乗降車情報送信部１０ｂと音声・映像情報送受信部１０ｃとを備える。
【００３４】
乗降車検出部１０ａは、読取装置９からの情報に基づいて利用者の乗降車を検出する。乗降車情報送信部１０ｂは、乗降車検出部１０ａからの乗降車情報をセンタ側通信装置１１に送信する。音声・映像情報送受信部１０ｃは、カメラ５で収集した映像情報とマイク６で収集した音声情報をセンタ側通信装置１１に送信する。音声・映像情報送受信部１０ｃは、センタ側通信装置１１から送信された映像情報を表示装置７で再生する。音声・映像情報送受信部１０ｃは、センタ側通信装置１１から送信された音声情報をスピーカ８で再生する。
【００３５】
センタ側通信装置１１は、乗降車情報受信部１１ａと一時アクセス情報生成部１１ｂと音声・映像情報中継部１１ｃとを備える。
【００３６】
乗降車情報受信部１１ａは、エレベーター側通信装置１０から送信された乗降車情報を受信する。一時アクセス情報生成部１１ｂは、乗降車情報受信部１１ａが受信した乗降車情報の内容に基づいて一時アクセス情報を生成する。一時アクセス情報生成部１１ｂは、当該一時アクセス情報を対応した送信先に送信する。音声・映像情報中継部１１ｃは、送信先に対応した関係者端末１３とエレベーター側通信装置１０との間の双方向通信において映像情報と音声情報とを中継する。
【００３７】
次に、図６を用いて、エレベーター側通信装置１０の動作を説明する。
図６はこの発明の実施の形態１におけるエレベーターの通信システムのエレベーター側通信装置の動作を説明するためのフローチャートである。
【００３８】
ステップＳ１では、エレベーター側通信装置１０は、識別情報が読み取られたか否かを判定する。ステップＳ１で識別情報が読み取られていない場合、エレベーター側通信装置１０は、ステップＳ１の動作を行う。ステップＳ１で識別情報が読み取られている場合、エレベーター側通信装置１０は、ステップＳ２の動作を行う。
【００３９】
ステップＳ２では、エレベーター側通信装置１０は、乗車情報を監視センタに送信する。その後、エレベーター側通信装置１０は、ステップＳ３の動作を行う。ステップＳ３では、エレベーター側通信装置１０は、音声・映像情報送受信部１０ｃの機能を起動する。その後、エレベーター側通信装置１０は、ステップＳ４の動作を行う。
【００４０】
ステップＳ４では、エレベーター側通信装置１０は、当該識別情報が読み取られたか否かを判定する。ステップＳ４で当該識別情報が読み取られている場合、エレベーター側通信装置１０は、ステップＳ４の動作を行う。ステップＳ４で当該識別情報が読み取られていない場合、エレベーター側通信装置１０は、ステップＳ５の動作を行う。
【００４１】
ステップＳ５では、エレベーター側通信装置１０は、降車情報を監視センタに送信する。その後、エレベーター側通信装置１０は、ステップＳ６の動作を行う。ステップＳ６では、エレベーター側通信装置１０は、音声・映像情報送受信部１０ｃの機能を終了する。その後、エレベーター側通信装置１０は、ステップＳ１の動作を行う。
【００４２】
次に、図７を用いて、センタ側通信装置１１の動作を説明する。
図７はこの発明の実施の形態１におけるエレベーターの通信システムのセンタ側通信装置の動作を説明するためのフローチャートである。
【００４３】
ステップＳ１１では、センタ側通信装置１１は、乗車情報が受信されたか否かを判定する。ステップＳ１１で乗車情報が受信されていない場合、センタ側通信装置１１は、ステップＳ１１の動作を行う。ステップＳ１１で乗車情報が受信された場合、センタ側通信装置１１は、ステップＳ１２の動作を行う。
【００４４】
ステップＳ１２では、センタ側通信装置１１は、一時アクセス情報を生成する。その後、センタ側通信装置１１は、ステップＳ１３の動作を行う。ステップＳ１３では、センタ側通信装置１１は、利用者データベース１２から識別情報に対応する送信先の情報を取得する。その後、センタ側通信装置１１は、ステップＳ１４の動作を行う。
【００４５】
ステップＳ１４では、センタ側通信装置１１は、当該送信先に一時アクセス情報を含むメールを送信する。その後、センタ側通信装置１１は、ステップＳ１５の動作を行う。ステップＳ１５では、センタ側通信装置１１は、当該一時アクセス用情報へのアクセスが検知されたか否かを判定する。
【００４６】
ステップＳ１５で当該一時アクセス情報へのアクセスが検知されていない場合、センタ側通信装置１１は、ステップＳ１６の動作を行う。ステップＳ１６では、センタ側通信装置１１は、降車情報が受信されたか否かを判定する。ステップＳ１６で降車情報が受信されていない場合、センタ側通信装置１１は、ステップＳ１５の動作を行う。ステップＳ１６で降車情報が受信された場合、センタ側通信装置１１は、ステップＳ１１の動作を行う。
【００４７】
ステップＳ１５で当該一時アクセス情報へのアクセスが検知された場合、センタ側通信装置１１は、ステップＳ１７の動作を行う。ステップＳ１７では、センタ側通信装置１１は、音声・映像情報中継部１１ｃの機能を起動する。その後、センタ側通信装置１１は、ステップＳ１８の動作を行う。
【００４８】
ステップＳ１８では、センタ側通信装置１１は、降車情報が受信されたか否かを判定する。ステップＳ１８で降車情報が受信されていない場合、センタ側通信装置１１は、ステップＳ１８の動作を行う。ステップＳ１８で降車情報が受信された場合、センタ側通信装置１１は、ステップＳ１９の動作を行う。
【００４９】
ステップＳ１９では、センタ側通信装置１１は、音声・映像情報中継部１１ｃの機能を終了する。その後、センタ側通信装置１１は、ステップＳ２０の動作を行う。ステップＳ２０では、センタ側通信装置１１は、当該一時アクセス情報を無効にする。その後、センタ側通信装置１１は、ステップＳ１１の動作を行う。
【００５０】
以上で説明した実施の形態１によれば、センタ側通信装置１１は、一時アクセス情報が送信された送信先とエレベーター側通信装置１０との間の双方向通信をリアルタイムで中継する。このため、かご３の内部の利用者の情報を外部の関係者に報知するだけでなく、外部の関係者からの情報をかご３の内部の利用者に報知することができる。その結果、かご３の内部の利用者と外部の関係者との双方に安心感を与えることができる。
【００５１】
例えば、親は、子供が利用したエレベーターの場所と時刻を知ることもできる。例えば、かご３の内部の映像情報と音声情報を親のスマートフォンで確認することもできる。この場合、親に対して安心感を与えることができる。
【００５２】
例えば、親のスマートフォンからの映像情報および音声情報を子供が乗っているかご３で再生することもできる。この場合、子供に対して安心感を与えることができる。さらに、不審者に対して抑止力を与えることもできる。
【００５３】
また、センタ側通信装置１１は、識別情報が読み取られなくなった場合に当該識別情報に対応した一時アクセス情報を無効にする。その結果、当該一時アクセス情報が送信された送信先とエレベーター側通信装置１０との間の双方向通信の中継が遮断される。このため、必要なときのみ、送信先とエレベーター側通信装置１０との間の双方向通信を維持することができる。その結果、かご３の内部の映像が常に外部から閲覧し得る状態になることを防止できる。
【００５４】
なお、複数の識別情報が読み取られている場合に、複数の識別情報対応した複数の送信先の各々とエレベーター側通信装置１０との間の双方向通信において、映像情報だけを中継し、音声情報を中継しなければよい。この場合、複数の関係者の各々に対し、かご３の内部の映像を見せることができる。その結果、複数の関係者の各々に対し、安心感を与えることができる。
【００５５】
次に、図８を用いて、エレベーター側通信装置１０とセンタ側通信装置１１との例を説明する。
図８はこの発明の実施の形態１におけるエレベーターの通信システムのエレベーター側通信装置とセンタ側通信装置とのハードウェア構成図である。
【００５６】
エレベーター側通信装置１０の各機能は、処理回路により実現される。例えば、処理回路は、少なくとも１つのプロセッサ１５ａと少なくとも１つのメモリ１５ｂとを備える。例えば、処理回路は、少なくとも１つの専用のハードウェア１６を備える。
【００５７】
処理回路が少なくとも１つのプロセッサ１５ａと少なくとも１つのメモリ１５ｂとを備える場合、エレベーター側通信装置１０の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１５ｂに格納される。例えば、少なくとも１つのプロセッサ１５ａは、少なくとも１つのメモリ１５ｂに記憶されたプログラムを読み出して実行することにより、エレベーター側通信装置１０の各機能を実現する。少なくとも１つのプロセッサ１５ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ１５ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００５８】
処理回路が少なくとも１つの専用のハードウェア１６を備える場合、処理回路は、例えば、単一回路、複合回路、プログラム化したプロセッサ、並列プログラム化したプロセッサ、ＡＳＩＣ、ＦＰＧＡ、ＰＬＤ、ＣＰＬＤまたはこれらの組み合わせで実現される。例えば、エレベーター側通信装置１０の各機能は、それぞれ処理回路で実現される。例えば、エレベーター側通信装置１０の各機能は、まとめて処理回路で実現される。
【００５９】
エレベーター側通信装置１０の各機能について、一部を専用のハードウェア１６で実現し、他部をソフトウェアまたはファームウェアで実現してもよい。例えば、音声・映像情報送受信部１０ｃの機能については専用のハードウェア１６としての処理回路で実現し、音声・映像情報送受信部１０ｃの機能以外の機能については少なくとも１つのプロセッサ１５ａが少なくとも１つのメモリ１５ｂに格納されたプログラムを読み出して実行することにより実現してもよい。
【００６０】
このように、処理回路は、ハードウェア１６、ソフトウェア、ファームウェア、またはこれらの組み合わせでエレベーター側通信装置１０の各機能を実現する。
【００６１】
センタ側通信装置１１の各機能は、処理回路により実現される。例えば、処理回路は、少なくとも１つのプロセッサ１７ａと少なくとも１つのメモリ１７ｂとを備える。例えば、処理回路は、少なくとも１つの専用のハードウェア１８を備える。
【００６２】
処理回路が少なくとも１つのプロセッサ１７ａと少なくとも１つのメモリ１７ｂとを備える場合、センタ側通信装置１１の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１７ｂに格納される。少なくとも１つのプロセッサ１７ａは、少なくとも１つのメモリ１７ｂに記憶されたプログラムを読み出して実行することにより、センタ側通信装置１１の各機能を実現する。例えば、少なくとも１つのプロセッサ１７ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ１７ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００６３】
処理回路が少なくとも１つの専用のハードウェア１８を備える場合、処理回路は、例えば、単一回路、複合回路、プログラム化したプロセッサ、並列プログラム化したプロセッサ、ＡＳＩＣ、ＦＰＧＡ、ＰＬＤ、ＣＰＬＤまたはこれらの組み合わせで実現される。例えば、センタ側通信装置１１の各機能は、それぞれ処理回路で実現される。例えば、センタ側通信装置１１の各機能は、まとめて処理回路で実現される。
【００６４】
センタ側通信装置１１の各機能について、一部を専用のハードウェア１８で実現し、他部をソフトウェアまたはファームウェアで実現してもよい。例えば、音声・映像情報中継部１１ｃの機能については専用のハードウェア１８としての処理回路で実現し、音声・映像情報中継部１１ｃの機能以外の機能については少なくとも１つのプロセッサ１７ａが少なくとも１つのメモリ１７ｂに格納されたプログラムを読み出して実行することにより実現してもよい。
【００６５】
このように、処理回路は、ハードウェア１８、ソフトウェア、ファームウェア、またはこれらの組み合わせでセンタ側通信装置１１の各機能を実現する。
【産業上の利用可能性】
【００６６】
以上のように、この発明に係るエレベーターのセンタ側通信装置および通信システムは、かごの内部の利用者の情報を外部の関係者に報知するだけでなく、外部の関係者からの情報をかごの内部の利用者に報知するシステムに利用できる。
【符号の説明】
【００６７】
１  昇降路、  ２  乗場、  ３  かご、  ４  制御装置、  ５  カメラ、  ６  マイク、  ７  表示装置、  ８  スピーカ、  ９  読取装置、  １０  エレベーター側通信装置、  １０ａ  乗降車検出部、  １０ｂ  乗降車情報送信部、  １０ｃ  音声・映像情報送受信部、  １１  センタ側通信装置、  １１ａ  乗降車情報受信部、  １１ｂ  一時アクセス情報生成部、  １１ｃ  音声・映像情報中継部、  １２  利用者データベース、  １３  関係者端末、  １４  識別体、  １５ａ  プロセッサ、  １５ｂ  メモリ、  １６  ハードウェア、  １７ａ  プロセッサ、  １７ｂ  メモリ、  １８  ハードウェア
【図１】
0006519722.tif 000002
【図２】
0006519722.tif 000003
【図３】
0006519722.tif 000004
【図４】
0006519722.tif 000005
【図５】
0006519722.tif 000006
【図６】
0006519722.tif 000007
【図７】
0006519722.tif 000008
【図８】
0006519722.tif 000009